(57)【要約】【課題】再生されたコンテンツデータの特性の調整を、操作の煩雑さを抑えた上で、且つ、ユーザの嗜好により適した設定で行えるようにする。【解決手段】コンテンツデータを再生するデータ再生部と、再生された前記コンテンツデータの特性を調整するコンテンツデータ調整部と、前記コンテンツデータ調整部の設定と過去の再生時間とが対応付けられたランキング情報を記憶するランキング情報記憶部と、前記コンテンツデータ調整部の動作を制御する制御部と、を具備する。前記制御部は、前記ランキング情報に基いて、前記コンテンツデータ調整部の設定を行う。【選択図】図１
2008146702.tif 000002
【特許請求の範囲】
【請求項１】
コンテンツデータを再生するデータ再生部と、
再生された前記コンテンツデータの特性を設定された条件に従って調整するコンテンツデータ調整部と、
前記コンテンツデータ調整部の設定と過去の再生時間とが対応付けられたランキング情報を記憶するランキング情報記憶部と、
前記コンテンツデータ調整部の動作を制御する制御部と、
を具備し、
前記制御部は、前記ランキング情報に基いて、前記コンテンツデータ調整部の設定を行う
再生装置。
【請求項２】
請求項１に記載された再生装置であって、
前記コンテンツデータは、音楽データであり、
前記コンテンツデータ調整部は、前記音楽データの周波数特性を調整するイコライザである
再生装置。
【請求項３】
請求項１又は２に記載された再生装置であって、
更に、
前記コンテンツデータの再生時間を計測する再生時間計測部、
を具備し、
前記制御部は、前記再生時間計測部の計測した再生時間に基いて、前記ランキング情報を更新する
再生装置。
【請求項４】
請求項１乃至３のいずれかに記載された再生装置であって、
更に、
入力された前記コンテンツデータのジャンル情報を抽出するジャンル情報抽出部、
を具備し、
前記ランキング情報には、コンテンツデータのジャンル毎に、前記コンテンツデータ調整部の設定と過去の再生時間とが対応付けられており、
前記制御部は、前記ジャンル情報抽出部から抽出されたジャンル情報に基いて、前記コンテンツデータ調整部の設定を行う
再生装置。
【請求項５】
請求項１乃至４のいずれかに記載された再生装置であって、
更に、
ユーザが情報を入力するための入力装置
を具備する
再生装置。
【請求項６】
請求項５に記載された再生装置であって、
更に、
イコライザ設定の候補となるパラメータを記憶するためのパラメータ記憶部
を具備し、
前記制御部は、前記パラメータ記憶部に記憶されたパラメータのなかから、ユーザによって選択されたパラメータを、前記コンテンツデータ調整部の設定にする
再生装置。
【請求項７】
請求項５又は６に記載された再生装置であって、
前記制御部は、前記入力装置からユーザ指定のランキングが入力された場合に、前記ランキング情報記憶部に記憶された前記ランキング情報を、入力されたランキングに更新する
再生装置。
【請求項８】
コンテンツデータを再生する再生ステップと、再生された前記コンテンツデータの特性を設定された条件に従って調整する調整ステップとを備えた再生方法であって、
更に、
前記調整ステップにおける設定条件が過去の再生時間に対応付けられたランキング情報に基いて、前記調整ステップにおける設定を変更する設定変更ステップと
を具備する
再生方法。
【請求項９】
請求項８に記載された再生方法であって、
前記コンテンツデータは、音楽データであり、
前記調整ステップにおいて、前記音楽データの周波数特性を調整する
再生方法。
【請求項１０】
請求項８又は９に記載された再生方法であって、
更に、
前記再生ステップにおいて再生された時間を計測する再生時間計測ステップと、
前記再生時間計測ステップにおいて計測された再生時間に基いて、前記ランキング情報を更新するランキング情報更新ステップと、
を具備する
再生方法。
【請求項１１】
請求項８乃至１０のいずれかに記載された再生方法であって、
更に、
前記コンテンツデータのジャンル情報を抽出するジャンル情報抽出ステップ、
を具備し、
前記ランキング情報には、コンテンツデータのジャンル毎に、前記調整ステップにおける設定条件と過去の再生時間とが対応付けられており、
前記設定変更ステップにおいて、前記ジャンル情報抽出ステップにおいて抽出したジャンル情報に基いて、前記調整ステップにおける設定を決定する
再生方法。
【請求項１２】
請求項８乃至１１のいずれかに記載された再生方法であって、
更に、
イコライザ設定の候補となるパラメータのなかからユーザによってパラメータが選択された場合に、前記調整ステップにおける設定を、選択されたパラメータに変更する設定手動選択ステップと、
を具備する
再生方法。
【請求項１３】
請求項８乃至１２のいずれかに記載された再生方法であって、
更に、
ユーザからランキングが入力された場合に、前記ランキング情報を、ユーザにより入力されたランキングに更新するランキング情報手動更新ステップ
を具備する
再生方法。
【請求項１４】
請求項８乃至１３のいずれかに記載された再生方法をコンピュータによって実現させるための再生プログラム。
【発明の詳細な説明】
【技術分野】
【０００１】
本発明は、コンテンツデータを再生する再生装置、再生方法、及び再生プログラムに関する。
【背景技術】
【０００２】
音楽や映像などのコンテンツデータを再生する場合、コンテンツデータの特性を調整して再生することが行われる。例えば、音楽データを再生する場合には、イコライザによってその音楽データの特性（周波数特性）が調整され、再生される。
【０００３】
コンテンツデータ特性の調整は、再生機器の特性、再生機器の設置環境（例示；通常室内、音響建築室内、自動車内）、及びそのコンテンツデータの内容などを考慮して行われることが望ましい。
【０００４】
コンテンツデータ特性の調整項目は多くの場合多岐に渉っている。よって、ユーザは、最も好む調整に設定するために、多数の項目を手動で設定しなければならなかった。
【０００５】
上記と関連して、コンテンツデータ特性の調整を容易に、又は自動的に行うための技術が、特許文献１〜３に記載されている。
【０００６】
すなわち、特許文献１には、ＣＤに記録されたジャンル情報に合わせてイコライザを設定するＣＤ再生装置が開示されている。
【０００７】
また、特許文献２には、送信された番組付加情報に含まれるジャンル情報に合わせてイコライザ設定を行うデジタルラジオ放送受信装置が開示されている。特許文献２には、デジタルラジオ放送受信装置が、デジタルラジオ放送を受信して音声データ及び番組付加情報を出力するチューナ部と、チューナ部から出力された音声データをデコードする音声データデコード部と、デコードされた音声データの再生音場を調整する音場調整部と、音場調整部で用いる音場調整用パラメータを音楽ジャンル毎に記憶するパラメータ記憶部と、チューナ部から出力された番組付加情報を文字情報へデコードする番組付加情報デコーダ部と、デコードされた文字情報から音楽ジャンルデータを抽出するジャンル抽出部と、抽出された音楽ジャンルデータに対応してパラメータ記憶部から読み出される音場調整用パラメータを音場調整部へ与える音場制御部と、を有することが記載されている。
【０００８】
また、特許文献３には、入力されたパラメータに基づきオーディオ効果が付加されたオーディオデータを複数パターン記憶する再生音・設定記憶部と、再生音・設定記憶部に記憶されたオーディオデータを連続的に読出し、これらの再生音を音声出力するためのアンプ及びスピーカを含むオーディオ装置が記載されている。このオーディオ装置に依れば、複数のパラメータの設定パターンを付加した同一音源について、自動演奏によって順次その効果を確認できるため、音の効果の比較に集中し易くなる、と記載されている。
【０００９】
【特許文献１】特開２０００−２３５７７２号  公報
【特許文献２】特開２００６−１０９２３３号  公報
【特許文献３】特開２００６−１７３７６５号  公報
【発明の開示】
【発明が解決しようとする課題】
【００１０】
ところで、上述の特許文献１や２は、予め「コンテンツ情報（ジャンル情報など）」と「コンテンツデータ特性を調整する際の設定」との対応関係（データ）が用意されており、再生時にこのデータを参照することで設定を自動的に変更する、という手法を用いたものである。このような手法を用いた場合、その対応関係にユーザの嗜好が反映されているとは限らない。つまり、必ずしも「ユーザの最も好む設定」が選択されるとは限られないことがあった。よって、「ユーザの最も好む設定」を推測し、それをその対応関係（データ）に反映させることが望ましい。
【００１１】
一方、特許文献３に記載のオーディオ装置を用いれば、ユーザによって好みの設定を選択されるものの、ユーザは設定の都度、複数の設定パターンの再生音を試聴しなければならず、依然として操作は煩雑であった。
【００１２】
従って、再生されたコンテンツデータの特性の調整を、操作の煩雑さを抑えた上で、且つ、ユーザの嗜好により適した設定で行うことのできる技術の提供が望まれる。
【課題を解決するための手段】
【００１３】
以下に、［発明を実施するための最良の形態］で使用される番号・符号を用いて、［課
題を解決するための手段］を説明する。これらの番号・符号は、［特許請求の範囲］の記
載と［発明を実施するための最良の形態］との対応関係を明らかにするために括弧付きで
付加されたものである。ただし、それらの番号・符号を、［特許請求の範囲］に記載され
ている発明の技術的範囲の解釈に用いてはならない。
【００１４】
本発明にかかる再生装置（１００）は、コンテンツデータを再生するデータ再生部（２０）と、再生されたコンテンツデータの特性を設定された条件に従って調整するコンテンツデータ調整部（３０）と、コンテンツデータ調整部（３０）の設定と過去の再生時間とが対応付けられたランキング情報を記憶するランキング情報記憶部（５１）と、コンテンツデータ調整部（３０）の動作を制御する制御部（１０）と、を具備する。制御部（１０）は、そのランキング情報に基いて、コンテンツデータ調整部（３０）の設定を、最も長い再生時間に対応した設定にする。
【００１５】
上述のような構成に依れば、過去の再生時間に基いて、コンテンツデータ調整部（３０）の設定が選択されることになる。ユーザの嗜好に適した設定は、ユーザによって選択される度合いが高いので、必然的に過去の再生時間が長くなる。よって、過去の再生時間に基づくことにより、ユーザの嗜好に最適な設定を選択することができる。また、制御部（１０）がランキング情報を参照して対応する設定を選択するので、ユーザの操作は必要無く、ユーザに必要とされる操作の煩雑さも解消される。
【発明の効果】
【００１６】
本発明に依れば、コンテンツデータ特性の調整を、操作の煩雑さを抑えた上で、且つ、ユーザの嗜好により適した設定で行うことのできる再生方法及び再生装置が提供される。
【発明を実施するための最良の形態】
【００１７】
添付の図面を参照しつつ、本発明の実施形態について説明する。
【００１８】
（機能構成）
図１は、本実施形態に係る再生装置１００の機能構成を示すブロック図である。本実施形態では、再生装置１００が、音楽データを再生する音楽再生装置１００である場合について説明する。この音楽再生装置１００は、ＲＯＭ（Ｒｅａｄ  ｏｎｌｙ  ｍｅｍｏｒｙ）、ＲＡＭ（Ｒａｎｄｏｍ  ａｃｃｅｓｓ  ｍｅｍｏｒｙ）、ＣＰＵなどを備えるコンピュータが、インストールされたプログラムによって協同的に機能を実現するものである。図１に示されるように、音楽再生装置１００は、制御部１０と、音楽データ再生部２０と、イコライザ３０と、再生時間計測部４０と、記憶部５０と、ジャンル情報抽出部６０と、コンテンツ情報解析部７０と、ユーザからの指示を受け付けるための入力装置８０と、表示画面に情報を表示する表示装置９０とを備えている。尚、これらの構成のうち、音楽データ再生部２０、イコライザ３０、再生時間計測部４０、コンテンツ情報解析部７０、及びジャンル情報抽出部６０は、コンピュータプログラム（再生プログラム）によっても構成することができる。
【００１９】
音楽データ再生部２０は、入力された音楽データを再生するものである。音楽データ再生部２０としては、音楽ＣＤを再生する機能を有するものや、ＭＰ３／ＡＡＣ／ＷＭＡといった圧縮Ａｕｄｉｏデータをデコードする機能を有するものが挙げられる。
【００２０】
イコライザ３０は、音楽データ再生部２０によって再生された音楽データの特性を、周波数特性を変化させることで調整するものである。
【００２１】
再生時間計測部４０は、音楽データ再生部２０によって再生された音楽データ（イコライザによって周波数特性の調整されたデータ）の再生時間を計測する機能を有するものである。再生時間計測部４０は、計測した再生時間を制御部１０に通知する。再生時間計測部４０の一例としては、音楽データ再生部２０より出力されたＰＣＭデータの個数とサンプリング周波数の値から再生時間を算出する様に構成されたものが挙げられる。すなわち、この再生時間計測部４０の一例としては、サンプリング周波数に関する情報を抽出する抽出手段と、ＰＣＭ個数をカウントするカウント手段と、抽出されたサンプリング周波数データとカウントされたＰＣＭ個数データとを用いて演算を行う演算手段と、を備えていればよい。
【００２２】
イコライザ３０により調整された音楽データは、再生時間計測部４０で再生時間が計測されつつ、スピーカ（図示せず）等を介して音として出力される様になっている。
【００２３】
制御部１０は、音楽再生装置１００全体の動作を制御するものであり、例えば中央演算処理装置（ＣＰＵ）である。制御部１０は、コマンド・データを受信すると、そのコマンドを実行するように構成されている。また、制御部１０は、音楽データの再生状態を把握しており、この再生状態によっても動作内容が決定されるようになっている。なお、再生状態とは、音楽データが再生中、停止中（再生開始前も含む）、及び再生の一時停止中の何れの状態であるかを指す。
【００２４】
コマンドとしては、再生を開始する「Ｐｌａｙ」コマンド、再生を停止する「Ｓｔｏｐ」コマンド、再生を一時停止するための「Ｐａｕｓｅ」コマンド、再生の一時停止を解除し、再生を再開するための「Ｒｅｓｔａｒｔ」コマンド、ユーザが作成したイコライザ設定を記憶するための「イコライザ設定作成」コマンド、イコライザ設定を、記憶された設定のなかからユーザによって選択された設定に変更するための「イコライザ設定手動選択」コマンド、ランキング情報をユーザ指定のランキングに変更するための「ランキング情報手動変更」コマンドがある。コマンド・データは、例えば、ユーザが入力装置８０を用いて指示した場合や、その他の必要な場合に生成され、制御部１０に送信される。尚、コマンド・データを生成する機能などの図示は省略されている。
【００２５】
また、制御部１０には、コンテンツ情報解析フラグ、イコライザ設定変更フラグ、再生処理実行フラグ、イコライザ自動変更フラグ、及びジャンル情報有無フラグが設定されるようになっている。制御部１０の動作は、これらのフラグの値に基いて決定される。
【００２６】
記憶部５０は、処理に必要な情報を記憶するためのものであり、ハードディスク等に例示される。記憶部５０には、ランキング情報記憶部５１と、パラメータ記憶部（ユーザ設定パラメータ記憶部５２及びプリセットパラメータ記憶部５３）が格納されている。
【００２７】
ランキング情報記憶部５１には、ランキング情報が記憶されている。図２（ａ）は、このランキング情報の内容を概念的に示す図である。図２（ａ）に示されるように、ランキング情報は、イコライザ設定（ｘ）が、再生時間（ｔ）に対応付けられて格納されている。また、これらの対応付けは、ジャンル毎にランク付けされている。このジャンル毎のランク付けでは、再生時間ｔの長いものほど上位にランクされる様になっている。例えば、図２（ａ）に示される例では、ジャンルが「クラシック」のランキング中において、ｔ１＞ｔ２＞ｔ３の関係になっている。
【００２８】
パラメータ記憶部は、イコライザ設定の候補となるパラメータを記憶しておくためのものである。ユーザ設定パラメータ記憶部５２には、入力装置８０を介してユーザから入力されたイコライザの設定がパラメータとして記憶されている。
【００２９】
プリセットパラメータ記憶部５３には、初期状態（例示；工場出荷段階における状態）におけるイコライザの設定（ｘ−ｐｒｅｓｅｔ）を示す情報がパラメータとして記憶されている。図２（ｂ）は、初期状態におけるランキング情報を概念的に示している。図２（ｂ）に示されるように、プリセットパラメータ記憶部５３に記憶されたパラメータ（ｘ−ｐｒｅｓｅｔ）が最上位のランクに位置付けられている。尚、２位以下のランキングについては、未設定となっている。
【００３０】
コンテンツ情報解析部７０は、入力された音楽データに関する情報を解析するものである。すなわち、入力された音楽データに、ジャンル情報などの付加情報が付加されているかどうかを解析する機能を実現する。
【００３１】
ジャンル情報抽出部６０は、コンテンツ情報解析部７０で解析した結果から、ジャンルに関する情報を抽出する機能を実現する。ジャンル情報とは、例えば、ロック、クラシック、ポップスなどの音楽の種類を示す情報である。但し、ジャンル情報として、アーティスト情報など、音楽の種類以外の情報を用いてもよい。
【００３２】
表示装置９０は、再生状態（Ｐｌａｙ中、Ｓｔｏｐ中など）、現在利用しているイコライザ設定に関する情報や、ランキング情報などを表示画面に表示し、ユーザに通知するものである。
【００３３】
入力装置８０は、ユーザからの情報を受け付けるためのものである。再生状態（Ｐｌａｙ、Ｓｔｏｐなど）の指示や、ランキング情報などを変更するための情報を、ユーザから受け付けるためのものである。
【００３４】
（全体の動作）
上述のような構成を有する音楽再生装置１００の全体の動作方法について説明する。尚、以下述べる動作は、特に断りの無い限り、制御部１０が、インストールされたプログラムによって実現するものとする。図３は、本実施形態に係る音楽再生装置１００の動作方法を示すフローチャートである。図３に示される各ステップの詳細について、以下に説明する。
【００３５】
ステップＳ１０１；初期化処理
まず、制御部１０が、初期化処理を行う。具体的には、コンテンツ情報解析フラグ、イコライザ設定変更フラグ、再生処理実行フラグ、イコライザ自動変更フラグ、ジャンル情報有無フラグの全てを、「Ｎｏ」に設定する。そして、次のステップＳ１０２に進む。
【００３６】
ステップＳ１０２；コマンド処理
制御部１０は、コマンドを一つずつ処理（実行）する。コマンド・データが存在する場合に、コマンド・データを取得、解析し、そのコマンドが有効で正常なコマンドであれば、各コマンドの処理（実行）を行う。コマンドが有効でない場合には、実行しない。例えば、一時停止中ではないのに「Ｒｅｓｔａｒｔ」コマンド・データを受信したとしても、有効なコマンドでは無いので、実行しない。コマンド・データが存在しない場合、もしくは、コマンドの処理（実行）が終了した場合、次のステップＳ１０３に進む。尚、コマンド・データの受信は、例えば、割り込み処理などで行われる。
【００３７】
このコマンド処理ステップにおいて、「Ｐｌａｙ」コマンドを実行した場合には、コンテンツ情報解析フラグ及び再生処理実行フラグを「ＹＥＳ」に変更し、次のステップＳ１０３へ進む。
【００３８】
「イコライザ設定作成」コマンドを実行した場合は、ユーザが作成した設定が、ユーザ設定パラメータ記憶部５２にパラメータとして記憶される。「イコライザ設定作成」コマンド・データには、ユーザが作成したイコライザ設定に関するデータが含まれている。「イコライザ設定作成」コマンドを実行することにより、ユーザの作成したデータが、ユーザ設定パラメータ記憶部５２にパラメータとして記憶される。この「イコライザ設定作成」コマンドは、再生状態に関わらず有効である。その後、次のステップ１０３へ進む。尚、「イコライザ設定作成」コマンド・データが作成されるまでには、表示装置９０にイコライザ設定を作成するための情報を入力するように促す旨を表示したり、ユーザが入力装置８０を介してイコライザ設定を作成するための情報の入力を行うといった構成、プロセスが必要であるが、これらは当業者にとって自明的な内容であり、ここでは説明しない。
【００３９】
「イコライザ設定手動選択」コマンド・データには、ユーザによって選択されたパラメータがどれであるかを示す情報が含まれている。ここで選択されるパラメータとは、パラメータ記憶部に記憶されたパラメータの中からユーザによって選択されるパラメータである。「イコライザ設定手動選択」コマンドを実行した場合には、選択されたパラメータがどれであるかを示す情報をＲＡＭ等に記憶させる。ここでＲＡＭ等に記憶された情報は、後述のステップＳ２０７において利用される。尚、「イコライザ設定手動選択」コマンド・データが作成されるまでには、表示装置９０にイコライザ設定の特性などを示す情報を表示したり、ユーザが入力装置８０を介して、イコライザ設定の選択を行うといった構成、プロセスが必要であるが、これらは当業者にとって自明的な内容であり、ここでは説明しない。ユーザによって選択されたパラメータをＲＡＭ等に記憶した後、イコライザ設定変更フラグを「ＹＥＳ」として、次のステップＳ１０３へ進む。この「イコライザ設定手動選択」コマンドは、再生状態に関わらず有効である。
【００４０】
「ランキング情報手動変更」コマンド・データには、ユーザが指定したランキング情報を変更するための情報が含まれている。「ランキング情報手動変更」コマンドを実行した場合には、このランキング情報を変更するための情報を基に、ランキング情報記憶部５１に記憶されたランキング情報を更新する（ランキング情報手動更新ステップ）。尚、「ランキング情報手動変更」コマンド・データが作成されるまでには、表示装置９０にランキング情報の変更を受け付ける状態である旨を表示したり、ユーザが入力装置８０を介して、ランキング情報を変更するための情報を入力するといった構成、プロセスが必要であるが、これらは当業者にとって自明的な内容であり、ここでは説明しない。
【００４１】
この「ランキング情報手動変更」コマンドは、再生状態に関わらず有効である。再生状態が停止状態である場合にこのコマンドを実行した場合には、特にフラグの変更などを行わず次のステップへと進む。一方、再生中又は一時停止中にこのコマンドが実行された場合には、イコライザ設定変更フラグ及びイコライザ自動変更フラグを「ＹＥＳ」にして、次のステップＳ１０３に進む。
【００４２】
また、「Ｐａｕｓｅ」、「Ｒｅｓｔａｒｔ」、「Ｓｔｏｐ」コマンドを実行した場合には、音楽データの再生状態をそれぞれ、一時停止、再生、停止の状態にする。「Ｐａｕｓｅ」，「Ｓｔｏｐ」コマンドを実行した場合には、再生処理実行フラグを「Ｎｏ」に、「Ｒｅｓｔａｒｔ」コマンドを実行した場合には、再生処理実行フラグを「ＹＥＳ」にし、次のステップへ１０３と進む。
【００４３】
ステップＳ１０３、１０４；コンテンツ情報の解析
続いて、制御部１０は、コンテンツ情報の解析を行うか否かを判断する（Ｓ１０３）。コンテンツ情報の解析は、コンテンツ情報解析フラグが「ＹＥＳ」の場合に実行される。すなわち、コンテンツ情報の解析は、ステップＳ１０２において、「Ｐｌａｙ」コマンドが実行された場合に行われる。
【００４４】
コンテンツ情報の解析を行う場合、コンテンツ情報解析部７０が、再生する音楽データのコンテンツ情報を取得し、解析する（Ｓ１０４）。このコンテンツ情報とは、アーティスト名、曲のジャンルなどのことであり、入力された音楽データに付与された情報である。解析の結果、ジャンル情報が存在した場合には、ジャンル情報抽出部６０がそのジャンル情報を抽出する（ジャンル情報抽出ステップ）。
【００４５】
コンテンツ情報の解析終了後、コンテンツ情報解析フラグを「Ｎｏ」に、イコライザ設定変更フラグを「ＹＥＳ」に変更する。但し、Ｓ１０２において、「イコライザ設定手動選択」コマンドを実行した後、最初に「Ｐｌａｙ」コマンドを実行した場合には、イコライザ設定変更フラグは変更されず、「Ｎｏ」のままとする。フラグの変更を行った後、次のステップＳ１０５へ進む。
【００４６】
一方、コンテンツ情報の解析を行わない場合には、本ステップでの処理は特に行わず、次のステップＳ１０５へ進む。
【００４７】
ステップＳ１０５、１０６；イコライザ設定の変更
続いて、制御部１０は、イコライザ設定の変更を行うか否かを判断する（Ｓ１０５）。イコライザ設定の変更は、イコライザ設定変更フラグが「ＹＥＳ」の場合に実行される。すなわち、イコライザ設定の変更を行うのは、Ｓ１０３においてコンテンツ情報の解析が終了した場合（但し、「イコライザ設定手動選択」コマンド実行後、最初に「Ｐｌａｙ」コマンドを実行した場合を除く）、「イコライザ設定手動選択」コマンドを実行した場合、及び再生中、一時停止中に「ランキング情報手動変更」コマンドを実行した場合である。
【００４８】
イコライザ設定の変更を行う場合、制御部１０は、所定の動作を行ってイコライザ３０の設定を変更する（設定変更ステップ；Ｓ１０６）。尚、本処理の具体的動作については後述するので、ここでは触れない。イコライザ設定の変更を行った後、次のステップＳ１０７へと進む。一方、イコライザ設定の変更を行わない場合は、特に本ステップにおける処理は行わず、次のステップＳ１０７へ進む。
【００４９】
ステップＳ１０７；再生するか否かの判断
続いて、再生処理を実行するか否かの判断が行われる（Ｓ１０７）。再生処理実行フラグが「ＹＥＳ」の場合に、再生処理の実行が行われる。再生処理を実行する場合には、次のステップＳ１０８へと進む。一方、再生処理実行フラグが「Ｎｏ」の場合は、コマンド処理（Ｓ１０２）に戻る。
【００５０】
ステップＳ１０８〜Ｓ１１１；再生、再生時間計測、ランキング情報更新
再生処理を実行する場合、音楽データ再生部２０が、ある期間分の音楽データの再生を行う。たとえば、音楽データが圧縮されたものであればデコードを行う（再生ステップ；Ｓ１０８）。次に、イコライザ３０が、再生された音楽データに対して、イコライザ処理を行う（調整ステップ；Ｓ１０９）。次に、再生時間計測部４０が、再生時間を測定する（再生時間計測ステップ；Ｓ１１０）。次に、制御部１０が、ジャンル情報抽出部６０から取得したジャンル情報、利用したイコライザ設定情報、及び再生時間計測部４０によって計測された再生時間情報に基いて、ランキング情報を更新する（ランキング情報更新ステップ；Ｓ１１１）。ステップＳ１０８〜Ｓ１１１が終了すると、コマンド処理（Ｓ１０２）に戻る。尚、ステップＳ１０８〜Ｓ１１１は、正常に再生音が出力されるよう（音が途切れたりしないよう）、タイミングを考慮して実行開始される。
【００５１】
以上が本実施形態にかかる音楽再生装置１００の一連の動作である。
【００５２】
（イコライザ設定変更処理）
続いて、イコライザ設定変更処理（Ｓ１０６）における動作の詳細について説明する。図４は、イコライザ設定変更処理の動作を示すフローチャートである。
【００５３】
ステップＳ２０１；自動変更を行うか否かの判断
まず、制御部１０が、イコライザ設定を自動変更するか否かの判断を行う。イコライザ自動変更フラグが「ＹＥＳ」の場合に、イコライザ自動変更処理を行うと判断する。すなわち、コンテンツ情報解析処理が終了した場合（但し、「イコライザ設定手動選択」コマンドを実行したあとの最初の「Ｐｌａｙ」コマンド実行時は除く）、再生又は一時停止中に「ランキング情報手動変更」コマンドを実行した場合に、イコライザの自動変更を行う。イコライザの自動変更を行う場合には、次のステップＳ２０２へ進み、自動変更を行わない場合には、ステップＳ２０７へ進む。
【００５４】
ステップＳ２０２；ランキング情報の取得
イコライザ設定の自動変更を行う場合、制御部１０は、ランキング情報記憶部５１を参照して、ランキング情報を取得する。
【００５５】
ステップＳ２０３〜２０９；イコライザの設定
続いて、コンテンツ情報解析処理（Ｓ１０４）において、ジャンル情報抽出部６０がジャンル情報を抽出していた場合には、制御部１０がジャンル情報抽出部６０からそのジャンル情報を取得する（Ｓ２０４）。そして、取得したランキング情報とジャンル情報とに基いて、そのジャンルの中で最もランキングの高いイコライザ設定を選択する（Ｓ２０５）。そして、イコライザ３０の設定を選択されたイコライザ設定に変更し（Ｓ２０８）、イコライザ設定の変更に係る処理を終了する。
【００５６】
一方、コンテンツ情報解析処理（Ｓ１０４）において、ジャンル情報抽出部６０がジャンル情報を抽出していなかった場合には、取得したランキング情報に基いて、全てのジャンルの中で最もランキングの高いイコライザ設定を選択する（Ｓ２０６）。そして、イコライザ３０の設定を、選択されたイコライザ設定に変更し（Ｓ２０８）、処理を終了する。
【００５７】
また、ステップＳ２０１において、イコライザ設定の自動変更を行わない場合、すなわち、Ｓ１０２において、「イコライザ設定手動選択」コマンドが実行された場合には、Ｓ１０２においてＲＡＭ等に記憶された、ユーザによって選択されたパラメータがどれであるかを示す情報を用いて、イコライザ設定が選択され（設定手動選択ステップ；Ｓ２０７）、イコライザ３０に設定され（Ｓ２０８）、処理を終了する。
【００５８】
続いて、動作方法をより具体的に説明するために、再生中に「イコライザ設定手動選択」コマンドが実行された場合（動作例１）、再生中に「ランキング手動変更」コマンドが実行された場合（動作例２）、停止中にイコライザ手動選択コマンドが実行された場合（動作例３）、及び停止中に「ランキング手動変更」コマンドが実行された場合（動作例４）の４つの動作例について説明する。
【００５９】
（動作例１）；再生中に「イコライザ設定手動選択」コマンドが実行された場合
図３に示されるように、Ｓ１０２において「Ｐｌａｙ」コマンドを実行すると、コンテンツ情報の解析（Ｓ１０３、Ｓ１０４）、イコライザ設定の変更（Ｓ１０５、Ｓ１０６）が実行された後、再生処理などが行われる。（Ｓ１０７、１０８、１０９）。更に再生時間の測定（Ｓ１１０）、ランキング情報更新（Ｓ１１１）が行われる。この状態（再生中）に、「イコライザ設定手動選択」コマンド・データを受信すると、再びＳ１０２に戻った時に、「イコライザ設定手動選択」コマンドを実行する（Ｓ１０２）。次に、コンテンツ情報の解析（Ｓ１０４）は行わず、イコライザ設定の変更を行う（Ｓ１０５、１０６）。この際、図４に示されるフローチャートにおいて、イコライザ設定の自動変更は行わず、ユーザによって選択されたパラメータを、イコライザ３０に設定する（Ｓ２０７、Ｓ２０８）。その後、再生〜ランキング情報更新処理（Ｓ１０８からＳ１１１）までの処理を行い、Ｓ１０２に戻り、Ｓ１０２からＳ１１１までの処理を繰り返す。
【００６０】
上記のように動作することで、音楽データの再生中にユーザがイコライザ設定を変更したい場合、ユーザによって選択されたパラメータをその音楽データの再生に反映させることができる。
【００６１】
（動作例２）；再生中に「ランキング手動変更」コマンドが実行された場合
本動作例において、「Ｐｌａｙ」コマンドを実行してから次のコマンド・データを受信するまでの処理は、上記の動作例１と同じである。再生中に、「ランキング手動変更」コマンド・データを受信すると、Ｓ１０２に戻った時に、「ランキング手動変更」コマンドを実行する（Ｓ１０２）。次に、コンテンツ情報の解析（Ｓ１０４）は行わず、イコライザ設定の変更を行う（Ｓ１０５、Ｓ１０６）。この際、図４に示されるフローチャートにおいて、イコライザ設定の自動変更を行い（Ｓ２０２から２０５、又はＳ２０６）、イコライザ３０の設定を変更する（Ｓ２０８）。すなわち、ユーザによって変更されたランキング情報に基いて、イコライザ３０の設定を変更する。その後、再び、再生〜ランキング情報更新処理（Ｓ１０８〜Ｓ１１１）までの処理を行い、Ｓ１０２に戻り、Ｓ１０２からＳ１１１までの処理を繰り返す。
【００６２】
上記のように動作することで、再生中にランキング情報がユーザによって変更された場合、その再生中の音楽データに対して、変更されたランキング情報に基いたイコライザ設定を反映させることができる。
【００６３】
（動作例３）；停止中に「イコライザ設定手動選択」コマンドが実行された場合
停止中に「イコライザ設定手動選択」コマンド・データを受信すると、制御部１０は、「イコライザ設定手動選択」コマンドを実行する（Ｓ１０２）。次に、コンテンツ情報解析処理（Ｓ１０４）を行わずに、イコライザ設定変更処理（Ｓ１０５、Ｓ１０６）を実行し、イコライザ３０の設定をユーザの選択したパラメータに変更する。その後、再生処理等（Ｓ１０８〜Ｓ１０９）は行わず、コマンド処理（Ｓ１０２）に戻る。Ｓ１０２に戻った時に、「Ｐｌａｙ」コマンド・データを受信していると、「Ｐｌａｙ」コマンドを実行する。その後は、次のように動作する。まず、コンテンツ情報の解析（Ｓ１０３、Ｓ１０４）が行われる。次に、この「Ｐｌａｙ」コマンドが「イコライザ設定手動選択」コマンドを実行した後に最初に実行された「Ｐｌａｙ」コマンドであるので、イコライザ設定変更処理（Ｓ１０６）を行わずに、再生処理実行（Ｓ１０８）〜ランキング情報更新（Ｓ１１１）の一連の動作を実行する。なお、この次に「Ｐｌａｙ」コマンドが実行された場合には、Ｓ１０６の処理も実行する。
【００６４】
上述のように、「イコライザ設定手動選択」コマンドを実行した後の最初の「Ｐｌａｙ」コマンドが実行された場合に、イコライザ設定変更処理（Ｓ１０６）を行わないことで、ユーザの選択したパラメータを、次に再生する音楽データに反映させることができる。
【００６５】
（動作例４）；停止中に「ランキング手動変更」コマンドが実行された場合
停止中に「ランキング手動変更」コマンド・データを受信すると、制御部１０は、「ランキング手動変更」コマンドを実行する（Ｓ１０２）。そして、Ｓ１０３〜Ｓ１１１までの一連の処理を行う。但し、実際にはＳ１０３、Ｓ１０５、Ｓ１０７においてＮＯの判断が行われ、コマンド処理（Ｓ１０２）に戻る、という処理を繰り返す。Ｓ１０２に戻った時に、「Ｐｌａｙ」コマンド・データを受信していると、「Ｐｌａｙ」コマンドを実行する。その後は、次のように動作する。まず、コンテンツ情報解析処理（Ｓ１０３、１０４）を実行し、更にイコライザ設定変更処理（Ｓ１０６）を行う。このイコライザ設定の変更は、自動変更により行われる（Ｓ２０２〜Ｓ２０６）。この際、図４に示されるフローチャートにおいて、イコライザ設定の自動変更を行い（Ｓ２０２から２０５、又はＳ２０６）、イコライザ３０の設定を変更する（Ｓ２０８）。その後、再生（Ｓ１０８）〜ランキング情報更新（Ｓ１１１）の一連の処理が実行され、再びコマンド処理Ｓ１０２へ戻って、Ｓ１０２〜Ｓ１１１までの処理を繰り返す。
【００６６】
（作用）
以上説明した様に、本実施形態に依れば、イコライザ３０が、イコライザ設定と再生時間とが対応づけられたランキング情報に基いて、再生時間の長い設定にされるので、ユーザの最も好むと推測されるイコライザ設定を自動的に設定することができる。
【００６７】
また、ユーザがイコライザ設定を選択した場合には、その選択された設定を、ある音楽データの再生中であればその音楽の再生に、再生停止中であれば次に再生される音楽の再生に対して適用することができる。
【図面の簡単な説明】
【００６８】
【図１】音楽再生装置のブロック図である。
【図２】ランキング情報の概念図である。
【図３】音楽再生装置の動作方法の全体の流れを示すフローチャートである。
【図４】イコライザ設定変更処理の動作を示すフローチャートである。
【符号の説明】
【００６９】
１０    制御部
２０    再生部
３０    イコライザ
４０    再生時間計測部
５０    記憶部
５１    ランキング情報記憶部
５２    ユーザ設定パラメータ記憶部
５３    プリセットパラメータ記憶部
６０    ジャンル情報抽出部
７０    コンテンツ情報解析部
８０    入力装置
９０    表示装置
【図１】
2008146702.tif 000003
【図２】
2008146702.tif 000004
【図３】
2008146702.tif 000005
【図４】
2008146702.tif 000006